(57)【要約】【課題】  分解して車両に搭載し現地へ運んだ後、組立て可能なペット用スタジオ建家にして、利便性,機動性を確保し且つ初期設備投資額の低コスト化を可能にするペット用組立スタジオ建家を提供する。【解決手段】  床形成用の床部材２と、該床部材で形成する床面に立設する支柱３と、該支柱の上端部に接合される天井部材４と、該天井部材に載置固定される屋根部材６と、前記支柱３間を遮蔽する壁部材９とを具備して、前記床部材２と支柱３と天井部材４と屋根部材６と壁部材９の各構成部材を組付けることによりペット用スタジオ建家が組立てられるようにする一方、該ペット用スタジオ建家を各構成部材に分解して車両Ｋに搭載し且つ運搬可能にしてなる。【選択図】  図１０
2008125423.tif 000002
【特許請求の範囲】
【請求項１】
床形成用の床部材(２)と、該床部材で形成する床面に立設する支柱(３)と、該支柱の上端部に接合される天井部材(４)と、該天井部材に載置固定される屋根部材(６)と、前記支柱間を遮蔽する壁部材(９)とを具備して、前記床部材(２)と支柱(３)と天井部材(４)と屋根部材(６)と壁部材(９)の各構成部材を組付けることによりペット用スタジオ建家が組立てられるようにする一方、該ペット用スタジオ建家を各構成部材に分解して車両に搭載し且つ運搬可能にしてなることを特徴とするペット用組立スタジオ建家。
【請求項２】
前記床部材(２)と支柱(３)と天井部材(４)と屋根部材(６)と壁部材(９)の各構成部材を嵌合又は螺合のみにより組付け、ペット用スタジオ建家を組立てられるようにした請求項１記載のペット用組立スタジオ建家。
【発明の詳細な説明】
【技術分野】
【０００１】
本発明はペット用スタジオの建家にあって、その構成部品に分解することで車両に積んで現地へ運べるようにし、その後、現地で組立てることができるペット用組立スタジオ建家に関する。
【背景技術】
【０００２】
スナップ写真を撮る場合と違って、ポートレートスタジオを使ったフォーマルな写真を撮ろうとした場合、従来はスタジオ撮影ができる写真館等に出向かねばならなかった。この写真館等に出向かねばならない不便さを解消するために、特開平２−１１４２８号公報に記載の出前をする移動スタジオ付き車なる発明技術が提案されている。しかし、該発明技術は任意のライトとバックを設置しただけの簡単なスタジオ付車を開示するにとどまっていた。簡単な証明用写真に対応できるにすぎないものであった。
【０００３】
近年、ペットブームに乗ってペットの写真を綺麗な形で残したい要望が高まりつつあるが、上記公報技術のスタジオ付車でペット写真を撮ろうとすると次のような不具合があった。第１に、犬や猫のペットの場合、じっとしていることが少なく動き回り、単なるスタジオ付車では写真撮影が難しかった。第２に、犬等のペットを引き立てるペット用小道具があると、撮った写真の価値を高めることができるが、そのような小道具を備えた移動スタジオ付き車はこれまでなかった。第３に、ペットの買主はシャッターが押された数ある写真のなかから気に入った写真を選ぶことができればより一層高い満足感が得られるが、そのようなシステムを採用する移動スタジオ付き車は存在しなかった。
結局、ペット愛好家がペットの写真を残そうとした場合、ペット用設備の整ったポートレートスタジオのある写真館を探し回ることとなった。しかしながら、そうした設備がある写真館はなかなか見つからず、ある程度の設備があるところで妥協せざるを得なかった。しかも、そのような写真館でもそこまで出向かねばならなかった。都市部ではまだしも一歩離れるとなると上記写真館まで行くのはかなり難儀なものとなっていた。加えて、ペット同伴で訪れようとすると、一層難儀なものになっていた。
そこで、本出願人はこうした問題を解決するペット用移動スタジオ付き車を先に提案した（特許文献１参照）。
【０００４】
【特許文献１】特開２００５−１５１９７４公報
【発明の開示】
【発明が解決しようとする課題】
【０００５】
しかし、特許文献１の発明技術は次のような問題があった。まず、ペット用スタジオの容積が大きいことから車両自体の全長が７ｍほどになり、また車両高さも地上から３.７ｍほどに達する大型車になった。このような大きな車になると、依頼先が住宅街であることから、駐車する敷地を確保するのに苦労した。さらに、住宅街の狭い道を進入するのが困難であった。依頼先の玄関近くに車を寄せ付けることができず、移動スタジオのメリットを十分生かしきれない問題があった。加えて、大型車になることからイニシャルコストが高く、初期設備投資を効率良く回収しきれない問題もあった。
【０００６】
本発明は上記問題点を解決するもので、分解して車両に搭載し現地へ運んだ後、組立て可能なペット用スタジオ建家にして、利便性,機動性を確保し且つ初期設備投資額の低コスト化を可能にするペット用組立スタジオ建家を提供することを目的とする。
【課題を解決するための手段】
【０００７】
上記目的を達成すべく、請求項１に記載の発明の要旨は、床形成用の床部材(２)と、該床部材で形成する床面に立設する支柱(３)と、該支柱の上端部に接合される天井部材(４)と、該天井部材に載置固定される屋根部材(６)と、前記支柱間を遮蔽する壁部材(９)とを具備して、前記床部材(２)と支柱(３)と天井部材(４)と屋根部材(６)と壁部材(９)の各構成部材を組付けることによりペット用スタジオ建家が組立てられるようにする一方、該ペット用スタジオ建家を各構成部材に分解して車両に搭載し且つ運搬可能にしてなることを特徴とするペット用組立スタジオ建家にある。
請求項２の発明たるペット用組立スタジオ建家は、請求項１で、床部材(２)と支柱(３)と天井部材(４)と屋根部材(６)と壁部材(９)の各構成部材を嵌合又は螺合のみにより組付け、ペット用スタジオ建家を組立てられるようにしたことを特徴とする。
【発明を実施するための最良の形態】
【０００８】
以下、本発明に係るペット用組立スタジオ建家の一実施形態について詳述する。図１〜図２１は本発明のペット用組立スタジオ建家(以下、単に「組立スタジオ建家」という。)の一形態で、図１は(イ)が基礎部材の正面図、(ロ)が(イ)のＺ矢視図である。図２は床部材の主部材(イ)と床面パーツ(ロ）の斜視図、図３は(イ)が各床部材の各パーツを組付けた床の平面図で、(ロ)がI-I線矢視図である。図４は図３のジョイントパーツの六面図の一部、図５は図３の角部ジョイントの六面図の一部、図６は支柱の斜視図、図７は床部材と支柱とを組立てた正面図(イ)と側面図(ロ)、図８は天井部材の各構成部品を組付けてなる天井の平面図、図９は天井部材の各パーツの斜視図、図１０は基礎部材と床部材と支柱と天井部材と引張部材とを組付けた正面図(イ)と側面図(ロ)、図１１は天井部材に屋根部材を組付ける様子を示す斜視図、図１２は屋根用主骨材の平面図(イ)と正面図(ロ)、図１３は樋部材の正面図(イ)と該イのII-II線矢視図(ロ)、図１４は組立てられたテラス部材周りの説明側面図、図１５は図１４の正面図、図１６は屋根覆いテントが屋根用主骨材に覆着セットされた状態の側面図で、円内は屋根覆いテントに係る切妻部の重ね部分の水平断面図を示す。図１７は屋根覆いテントを屋根用主骨材に覆着する手順を示す説明図、図１８は壁部材の水平断面図(イ)と正面図(ロ)で、(イ)は(ロ)のIV-IV線矢視図を示す。図１９は引張部材,壁部材の取付け箇所を矢印で示す説明斜視図(イ)と壁部材とその周りの側面図(ロ)、図２０は組立てられたスタジオ建家の概略斜視図、図２１はスタジオ撮影用器材の説明斜視図、図２２は図２０のスタジオ建家を床部材等の構成部品に分解したものを、図２１のスタジオ撮影用器材と一緒に車両に搭載した説明図である。
【０００９】
組立スタジオ建家Ａは基礎部材１と床部材２と支柱３と天井部材４と引張部材５と屋根部材６と樋部材７とテラス部材８と壁部材９とを具備する。
基礎部材１は錘１０とジャッキ１１とを備え、略方形体とするコンクリート製又は金属製錘１０の上面にジャッキ１１が取着される(図１)。本実施形態は錘１０とジャッキ１１とを備えたセットものの基礎部材１が、図１０のごとく６セット設けられる。ジャッキ１１上には上面開口のコ字状溝型鋼片１２が固着され、該溝型鋼片の内底面に下端を溶接固定した突片１３が起立する。該突片には小孔１３ａが設けられ、接続用蝶ボルト１７が床部材２(詳しくはジョインパーツ２ｃ,角部ジョイント２ｄ）に設けられた小孔２２ｅ,２３ｅを通り、小孔１３ａに形成した螺子部に螺合することにより、床部材２が基礎部材１に一体化される。
【００１０】
床部材２は複数の部品構成で、固定部材２ａと床面パーツ２ｂとジョイントパーツ２ｃと角部ジョイント２ｄと組付ボルト２ｅとを具備する(図２,図３)。
固定部材２ａは四角柱材を加工した主部材２０に起立片２１を立設する角状体である。起立片２１は主部材２０の両端寄りの２カ所に起立し、該起立片には透孔２１ａが設けられる。ここでの固定部材２ａは２分割構成品で、車両搭載を容易にする。図３に示すごとく床の前後の両側縁に固定部材２ａがジョイントパーツ２ｃを介在させて配設され、該固定部材２ａは計４個用意される。両固定部材２ａの両端には角部ジョイント２ｄが取着される。
主部材２０の一側面には長手方向全域に亘って床面パーツ２ｂと嵌合する蟻溝状の凹溝２０ａが形成される。主部材２０の両端面には、ジョイントパーツ２ｃ(又は角部ジョイント２ｄ)のピン２２ｂ(２３ｂ)と嵌合する４個の嵌合孔２０ｂが設けられる。
【００１１】
床面パーツ２ｂは床面を形成する平面視長方形した板状加工品である(図２)。本実施形態は該床面パーツ２ｂを５個突き合わせて並べることで図３ごとくの床面を形成する。各床面パーツ２ｂの長辺側の突き合わせ面には嵌合凹溝２８又は嵌合凸部２６が形成され、突き合わせた複数の床面パーツ２ｂが水平に保たれるようにしている。各床面パーツ２ｂの短辺側の端面には前記蟻溝状の凹溝２０ａに嵌合する凸部２７が形成される。符号２９は主部材２０を螺着固定するためのねじ孔である。床面パーツ２ｂを５枚並べた後、図３のごとく組付けボルト２ｅを主部材２０の通孔に通し、ねじ孔２９に螺合することにより主部材２０と床面パーツ２ｂの一体化が図られる。各床面パーツ２ｂの床面上には軽量化のための窓開き部分２５ａが設けられる。尚、図３で床面パーツ２ｂを５枚横並びにしたとき、両端に配される床面パーツ２ｂの外側端面は平坦にし、嵌合凹部２８や嵌合凸部２６を形成しない。
【００１２】
ジョイントパーツ２ｃは２分割構成品の固定部材２ａを繋ぐ六面体状の接続具で、２個用意される(図４)。ジョイントパーツ２ｃはその両側面からピン２２ｂが４個ずつ突出する。４個のピン２２ｂが主部材２０の４個の嵌合孔２０ｂに嵌合すると、固定部材２ａ,ジョイントパーツ２ｃ,固定部材２ａが一直線状のバー状体になる。ジョイントパーツ２ｃは横断面形状が固定部材２ａとほぼ同じで、蟻溝状の凹溝２０ａに対応する位置に蟻溝状の凹溝２２ａを設ける。ジョイントパーツ２ｃを介在させて２分割構成の固定部材２ａをつなぐようにして、蟻溝状の凹溝２０ａ,２２ａに各床面パーツ２ｂの短辺側凸部２７を嵌合させることで、床部材２による床面が水平形成される。ここで、符号２２ｃは貫通孔で、床面を形成するジョイントパーツ２ｃとして配したときに、上下方向に貫通する通孔となる。ジョイントパーツ２ｃの外面の上半部には該貫通孔２２ｃに達する支柱固定用の小孔２２ｄが穿設され、ジョイントパーツ２ｃの外面の下半部には該貫通孔２２ｃに達する基礎部材固定用の小孔２２ｅが穿設される。
【００１３】
角部ジョイント２ｄは固定部材２ａ,ジョイントパーツ２ｃ,固定部材２ａで一直線状のバー状体にしたその両端に接続される接続具で、計４個用意される(図３,図５)。ここでの角部ジョイント２ｄは六面体の主部２３に板片２４を固着した格好とする。ジョイントパーツ２ｃは固定部材２ａに対向する側の一側面からピン２３ｂが４個突出する。４個のピン２２ｂが主部材２０の４個の嵌合孔２０ｂに嵌合すると、図３のごとく角部ジョイント２ｄ,固定部材２ａ,ジョイントパーツ２ｃ,固定部材２ａ,角部ジョイント２ｄが一直線状のバー状体を形成できる。角部ジョイント２ｄは横断面形状が固定部材２ａとほぼ同じで、蟻溝状の凹溝２０ａに対応する位置に蟻溝状の凹溝２３ａを設ける。ジョイントパーツ２ｃを介在させて２分割構成の固定部材２ａをつなぐようにして、蟻溝状の凹溝２０ａ,２２ａに各床面パーツ２ｂの短辺側の凸部２７を嵌合させ、さらに蟻溝状の凹溝２３ａを嵌合させることで、床部材２による床面が完成する。本実施形態では、こうして図３のような約５m×約２.５mの長方形の床面積が出来上がる。符号２３ｃは貫通孔で、角部ジョイント２ｄが床面の一部を形成したときに、上下方向に貫通する通孔となる。角部ジョイント２ｄの外面の上半部には該貫通孔２３ｃに達する支柱固定用の小孔２３ｄが穿設され、角部ジョイント２ｄの外面の下半部には該貫通孔２３ｃに達する基礎部材固定用の小孔２３ｅが穿設される。符号２３ｆは板片２４に設けた取付孔で、図３のごとく組付けボルト２ｅを該取付孔２３ｆに通し床面パーツ２ｂに形成されたねじ孔(図示せず)に螺合することにより角部ジョイント２ｄの床面パーツ２ｂへのより強固な一体化を図る。
【００１４】
支柱３は床部材２２で形成する床面に起立する柱で、ここでは床部材２がつくる約５m×約２.５mの長方形した床面の四隅(貫通孔２３ｃの地点)と長方形した床面長辺の中央(貫通孔２２ｃの地点)に設けられる。支柱３は計６本用意する(図６)。本実施形態の支柱３の高さは約２.５mとする。支柱３は四角柱した本体部３０の下端から下方へ下片３１が延設する一方、本体部３０の上端に４本の起立ピン３２を立設する。該起立ピンに螺子３２ａを形成する。符号３１ａは下片３１に形成した孔を示す。
床部材２で図３の床面を形成後、下片３１を貫通孔２２ｃ(又は２３ｃ)に嵌入し、床面上に支柱３が起立する(図７)。スタジオ建家の組立時には、小孔２２ｄ(又は孔２３ｄ)及び孔３１ａに蝶ボルトを通し、孔３１ａに形成したねじに螺着することで、支柱３が床面に起立状態を保って一体固定化される。図７(イ)に床部材２を組付けてなる床面に支柱３を立設した状態の正面図、同図(ロ)は側面図を示す。符号２５１は、図７で床面外縁近くの支柱３寄りに設けられ、床面パーツ２ｂのうち右端,左端に配される２枚だけに形成される起立片を示す。該起立片は図２,図３では図示を省略する。起立片２５１には透孔２５１ａが穿設される。
【００１５】
天井部材４は複数の部品構成で、縦梁４ａと横梁４ｂと天井板パーツ４ｃとを備える(図８,図９)。縦梁４ａは図９(イ)ごとくの角材加工品である。主部４０を四角柱のままに保つ一方、両端部４１の下面側を削ってカット部４１ｃをそれぞれ形成する。そして両カット部の上面中央に上下方向に貫通する中央孔４１ａと該中央孔を取り巻く４個の孔４１ｂとを設ける。中央孔４１ａはスタジオ建家の組立時に、屋根部材６の主骨材６ａのピン６１ａ１が嵌合する嵌合孔となり、４個の孔４１ｂは支柱３の４本の起立ピン３２が嵌合する孔となる。
【００１６】
横梁４ｂは四角柱材を加工した角状体で、図８のごとく２分割構成の左右対称品が天井の前後に一対ずつ配される。横梁４ｂは四角柱状した主部４２の一端に半割り孔４３ａを形成し、この部分を中央寄り端部４３とする一方、主部の他端に前記カット部４１に嵌合する上面側を切欠いたカット部４４を設ける(図９のロ)。半割り孔４３ａ同士を突き合わせれば、天井の長辺側の横梁４ｂになる。符号４２ａは主部の中間位置に設けたセンター孔を示す。半割り孔４３ａ同士でつくる孔及び該センター孔４２ａは、スタジオ建家の組立時に屋根部材６のピン６０ａ１が嵌入する所となる。半割り孔４３ａが在る中央寄り端部４３には２個の孔４３ｂが設けられ、横梁４ｂが組付けられると、半割り孔４３ａ同士でつくる孔の周りに４個の孔４３ｂができる。
カット部４４の上面中央には上下方向に貫通する中央孔４４ａと該中央孔を取り巻く４個の孔４４ｂが設けられる。中央孔４４ａはスタジオ建家の組立時に、屋根部材６のピン６１ａ１が嵌合する嵌合孔となり、４個の孔４４ｂは縦梁４ａの４個の孔４１ｂと上下方向に一致して支柱３の４本の起立ピン３２が嵌合する孔となる。尚、図示を省略するが、起立ピン３２が嵌合する天井部材４の孔４１ｂ,４３ｂには段差が設けられ、支柱の起立ピン３２を該孔に嵌入させた後、螺子３２ａにナット(図示せず)を螺着固定する。螺着固定時に、該ナットは縦梁４ａ,横梁４ｂの上面より下方の段差内に配される。符号４２ｂは横梁４ｂの内側面の長手方向に沿って形成される帯状凸部で、天井板パーツ４ｃの凹部４８と嵌合する。
【００１７】
天井板パーツ４ｃは天井を形成する平面視長方形した板状体で(図９)、ここでは５分割構成品とする。５枚の天井板パーツ４ｃを突き合わせて並べることで図８ごとくの天井面主要部を形成する。各天井板パーツ４ｃの長辺側の突き合わせ面には嵌合凸部４６と嵌合凹部４７が形成される。５枚の天井板パーツ４ｃを突き合わせ凹凸部４６,４７を嵌合させた後、前記縦梁４ａと横梁４ｂとで枠組み形成することによって、天井板パーツ４ｃ全体が水平に保たれるようにしている。また各天井板パーツ４ｃの短辺側の両端面には前記横梁４ｂの凸部４２ｂに嵌合する凹部４８が形成され、より確実に水平に保たれるようにしている。天井板パーツ４ｃの主要部の板面には軽量化のための開口部分４５ａが設けられる。
【００１８】
引張部材５は先端に嵌合,係止用フックを設けた２本の軸部材５１とターンバックル５０とからなる(図１０)。一端に右螺子、他端に左螺子を切ったターンバックル５０に、両軸部材５１の基端部が螺合し、組立てられるスタジオ建家の骨組み構造物の補強を担う。
基礎部材１上に床面を形成する床部材２が載置固定され、床面上に支柱３が立設し、支柱３上端の起立ピン３２が、天井用縦梁４ａの孔４１ｂ、横梁４ｂの孔４４ｂ、孔４３ｂにそれぞれ嵌合一体化し、図１０のごとくのスタジオ建家の基本骨組みが出来上がる。しかし、このままでは大きな外力が加わったときに強度不足が懸念される。そこで、本実施形態は図１９の矢印で示す５カ所のスタジオ建家の外壁面に当たる部位に引張部材５をタスキ掛けに取付ける。引張部材５の軸部材５１の嵌合,係止用フックは起立片２１の透孔２１ａ、起立片２５１の透孔２５１ａに嵌合,係止する。
【００１９】
屋根部材６は複数の部品構成で、屋根用主骨材６ａと傘部材６ｂと屋根覆いテント６ｃと止めボルト６ｄを備える(図１１〜図１３、図１６)。
屋根用主骨材６ａは図１２のごとく屋根を形成する主骨の主部６０と該主部の両側に２個ずつ取り付けられた筒体６１を備える。本実施形態では主骨材６ａが５本用意される。屋根主骨の片割れ部６０ａ同士をヒンジ６０ｂで図１２(ロ)の矢印に示すごとく回動自在に連結して主部６０が形成される。搬送し易くするためで、輸送時はヒンジ６０ｂ部分で折り畳んで運ばれる。屋根形状した図１２(ロ)の主骨材６ａの状態図において、片割れ部６０ａは傘状に形づくる屋根部と該屋根部の下部から垂直降下する垂直部とが一体成形される。そして該垂直部の下端からピン６０ａ１が垂下する。図８,図１０で骨組み形成された天井の中央孔４１ａ、センター孔４２ａ、半割り孔４３ａのつくる孔に、該ピン６０ａ１が嵌入,嵌合すれば、図１１のごとく組立スタジオ建家の主要骨組みが完成する。図１１中、符号６０ａ２は主骨材６ａの垂直部外面に形成した樋固定用の螺子孔を示す。尚、５本の主骨材６ａのうち中央に配される主骨材６ａには樋固定用の螺子孔６０ａ２を２個設ける。最主骨材６ａの互換性から外側に配される主骨材６ａの外面にも筒体６１を設けるが、該外面への筒体６１は設けなくてもよい。
【００２０】
傘部材６ｂは傘部分６２とピン６３とを具備し、「へ」字状の長手方向等断面形状した傘部分６２の４つの角部下縁からピン６３が垂下する。傘部材６ｂは４個用意される。組立スタジオ建家Ａの組立て時には、図８で骨組み形成された天井の中央孔４１ａ、センター孔４２ａ、半割り孔４３ａのつくる孔に、ピン６０ａ１が嵌合し、図１１のごとくスタジオ建家の主要骨組みを完成させた後、各主骨材６ａの筒体６１にピン６３を嵌入し、傘部材６ｂが主骨材６ａ間を橋渡しするようにして主骨材６ａに装着される。
【００２１】
屋根覆いテント６ｃは主骨材６ａと傘部材６ｂで形成した屋根の骨組み部分を覆う布製又は樹脂製シートである。本実施形態は図１６,図１７のごとく樋部材７に設けた引掛用フック７１を利用して、主骨材６ａと傘部材６ｂで形成した屋根部分を該屋根覆いテント６ｃで覆う。尚、図１６,図１７では傘部材６ｂの図示を省略する。その後、屋根側面の切妻部６ｃ２のダブり箇所６ｃ２１を折り畳み、さらに該切妻部の下縁に沿って設けた孔６ｃ０を利用して、止めボルト６ｄで該屋根覆いテント６ｃを天井部材４に螺着固定する。天井部材４には止めボルト６ｄ用の螺子孔が形成される。符号６ｃ２２は屋根覆いテント６ｃの突合せ部分を示す。
【００２２】
樋部材７は図１３(ロ)のような横断面形状の凹状溝を形成した部材で、搬送し易くするため左右対称の２分割構成品を突き合わせて形成される。樋部材７は屋根部材６に当接する樋本体７０の板部に樋固定用孔７０ａを設ける。天井部材４に主骨材６ａが取付けられた後、該樋固定用孔７０ａにボルトを通し該主骨材６ａの螺子孔６０ａ２に該ボルトを螺着することによって、樋部材７が主骨材６ａに固定される。樋部材７の樋本体７０には、その凹状溝内に向けて、屋根覆いテント６ｃの引掛け用フック７１とテラス覆いテント８ｅの引掛け用フック７２が所定ピッチで設けられる。また樋本体７０の表面にはテラス部材８の樋接続短管８ａと嵌合する固定ボス７３が所定間隔をあけて４個設けられる。符号７０ｂは強度アップ用の鍔を示す。
【００２３】
テラス部材８は複数部品の構成で、樋接続短管８ａとテラス用水平部材８ｂとテラス用柱８ｃと該テラス用柱の受具８ｄとテラス覆いテント８ｅとを備える(図１４,図１５)。
樋接続短管８ａは短管部からなる主部８０の両端に径を一回り小さくした小径部８１を一体化したパイプ状体で、ここでは４個用意される。各小径部８１の筒面の１カ所に螺子を切った孔８１ａが設けられる。該小径部を前記固定ボス７３へ挿入,嵌合させた後、固定ボルト８９を固定ボス７３の孔７３ａに通し、小径部８１の孔８１ａに螺着することで、樋接続短管８ａが樋本体７０に接続固定される。
テラス用水平部材８ｂは車両運搬し易くするよう２分割構成品とし、一対用意される。二つの構成品８ｂ,８ｂにはそれぞれ水平管部８２に上方に向かう突出管部８３が所定間隔をあけて２個固着される。水平管部８２の一方に小径部８５が形成されており、該小径部８５を他方の水平管部８２に嵌合させることにより、図１５のごとくのスタジオ建家の横長さに匹敵するテラス用水平管が出来る。このテラス用水平管にしたとき、その両端に位置する水平管部８２の端には下方へ屈曲配設する下方突出管部８４が設けられている。
樋接続短管８ａの下方側小径部８１を水平部材８ｂの突出管部８３に挿入,嵌合した後、固定ボルト８９を突出管部８３の孔８３ａに通し、小径部の孔８１ａに螺着することで、水平部材８ｂが樋接続短管８ａに接続固定される(図１４)。
【００２４】
テラス用柱８ｃはパイプ状柱体の上端に小径部８ｃ１を設けたものである(図１５)。一の水平管部８２の小径部８５を他の水平管部８２に嵌合させてテラス用水平管を組み付けると共に、樋本体７０に接続固定した樋接続短管８ａの下方側小径部８１ａを水平管部８２の突出管部８３に挿入,嵌合し、さらにテラス用柱８ｃの小径部８ｃ１を下方突出管部８４に挿入,嵌合させることによって、図１４,図１５ごとくのテラスの骨組みが完成する。固定ボス７３に樋接続短管８ａの小径部８１を挿入,嵌合することによって樋部材７でテラスの一端を支えさせる一方、樋部材７から固定ボス７３,樋接続短管８ａ,上方突出管部８３へと下方傾斜してテラスの屋根部分を骨組み形成し、テラス用水平部材８ｂの水平管部８２からテラス用柱８ｃ、受具８ｄでテラスの下端を受ける格好である。該受具はテラス用柱８ｃの高さ調節を可能にする高さ補助調整具になっている。
【００２５】
テラス覆いテント８ｅはテント用シート部８ｅ１とこの一側縁に取着される重しバー８ｅ２とを備える（図１４)。テント用シート部８ｅ１は、樋部材７から固定ボス７３,樋接続短管８ａ,水平部材８ｂへと至るテラス屋根部分の骨組み形成部分を覆うシート面を有する。テント用シート部８ｅ１の樋部材７側に設けた孔に引掛け用フック７２を嵌入させた後、重しバー８ｅ２を上方突出管部８３,水平管部８２側へ転がり落とすことで簡単にテラス用覆いテント８ｅが張られ、重しバー８ｅ２が図１４のごとくテラス用柱８ｃの上部領域に配される。該重しバー８ｅ２が重しになってテラス用覆いテント８ｅ２が安定する。重しバーは８ｅ２紐等でテラス用柱８ｃに結束固定される(図１４)。
【００２６】
壁部材９は長方形した板状の壁主部材９ａと該壁主部材９ａの室内側に貼着された方形の断熱部材９ｂとを備える(図１８)。本実施形態の壁主部材９ａは約２.５m×約２.５mの合成樹脂製の板体で、且つそのセンター縦方向に肉厚を薄くし可撓性,屈曲性のある括れ部を形成する。該括れ部はヒンジ部９１となってヒンジ機能を発揮する。該ヒンジ部９１を設けることによって壁部材９は二つ折り可能となり、車両運搬を楽にする。ヒンジ部９１を間に挟んで両側に断熱部材９ｂが貼着される。符号９２は壁主部材９ａの下縁寄りに適宜間隔で設けた孔、符号９３は壁主部材９ａの上縁に沿って設けた鉤状フックである。天井部材４の外側に図１９(ロ)のごとく鉤状突起を設けて、該鉤状突起に鉤状フック９３を嵌合させれば、スタジオ建家Ａの骨組み構造物に壁部材９を楽に取付けられるようになる。そして、ボルト９９を孔９２に通し、固定部材２ａ(又は床面パーツ２ｂ、角部ジョイント２ｄ)に螺着固定することで、スタジオ建家の骨組み構造物に壁部材９が確実に取付けられる。壁部材９は図１９(イ)の矢印がある箇所で、床部材２と支柱３と天井部材４でつくる枠体内を塞ぐようにして取付けられる。矢印がない壁面には図２０に示すごとく引き戸９ｄが取着される。
ここで、図１〜図２０の説明で使用した螺合用の固定ボルト８９,組付けボルト２ｅ,止めボルト６ｄ,ボルト９９等は蝶ボルト(又は螺合相手側を蝶ナット)とするとより好ましくなる。組立スタジオ建家Ａの組立作業に工具が不要となるからである。
【００２７】
ペット用スタジオには、上記組立スタジオ建家Ａの他、ペットを撮影する器材が用意される。本実施形態はペット撮影用器材として、図２１ごとくのアナログカメラＦ１,デジタルカメラＦ２の２台のカメラＦ、撮った映像を確認する画像表示装置Ｇ、メインライト,トップライト,フロントライト等の照明器具Ｈ１〜Ｈ３、写真撮影用背景が描かれたスクリーンＪ２を支具Ｊ１で支える背景用具Ｊとを備える。
【００２８】
このように構成した組立スタジオ建家Ａは、特許文献１記載の外形が整い一体化されたスタジオ建家と同様の空間を有し、同じペット用撮影スタジオ建家としての機能を発揮する。それでいて、車両移送する時点では、基礎部材１,床部材２,支柱３,天井部材４,引張部材５,屋根部材６,樋部材７,テラス部材８,壁部材９の各構成部材に分解してコンパクト化できるので、特許文献の車両に比較してごく小さな車両に搭載できる。機動力のある運搬が可能になる。大半をスタジオ空間が占めて大きな車両を必要としていた特許文献１の発明技術と異なり、スタジオ空間がなくなり、各構成部材を集合させて車両に搭載できるので、スタジオ建家を現地へ移送するための車両が小型化される。
さらに本実施形態のごとく、床部材２,支柱３,天井部材４で囲まれたスタジオ空間が縦が約２.５mで横が約５m、高さが約２.５mの大容量であっても、床部材２,支柱３,天井部材４等のどの構成部材も、全長や一辺が２.７m(より好ましくは２.５m)を越えないように分割されているので、図２２(イ)のような１トン車程度のトラックや図２２(ロ)のようなワゴン車で十分足りるようになる。特許文献１の全長約７mで車両高さ約３.７mとする大型車両と違って、大幅に小型化され、初期設備投資額が大幅軽減される。上記トラックやワゴン車には、カメラ、画像表示装置、照明器具、背景用具等の器材も一緒に積むことができる。
【００２９】
かくのごとく、組立スタジオ建家Ａの各構成部材１〜９を分解,コンパクト化して車両搭載できるので、車両が小さくなって狭い住宅路地であっても進入できる。そして、顧客が要望する撮影現場まで円滑に到着できる。加えて、車両が小さいことから大きな駐車場を必要としない。車両は小さいためどこへでも置ける。ペットの撮影現地ではスタジオ建家Ａの約２.５m×約５mの設置スペースさえ確保できれば足りる。
さらに、撮影現地では組立スタジオ建家Ａが既述のごとく組立て易い構造になっているため、基礎部材１,床部材２,支柱３,天井部材４,引張部材５,屋根部材６,樋部材７,テラス部材８,壁部材９の各構成部材を順に嵌合又は螺合により組付けていくことによってスタジオ建家がスムーズに完成する。基礎部材１と床部材２と支柱３と天井部材４と屋根部材６と壁部材９の各構成部材を嵌合又は螺合のみにより組付け、ペット用スタジオ建家を組立てられるようにしているので、作業負担が少なく、組立スタジオ建家Ａの組み立てのスピードアップ化が図られる。螺合用ボルト２ｅ,６ｄ,８９,９９を蝶ボルトとすることにより作業性が一段と向上し、また組立スタジオ建家の組立が速まる。
顧客の期待に応えて、短時間でペットの撮影に移ることができる。顧客の住まい近くでペットの写真が撮れるので、ペットを連れて遠くの写真館まで出向かねばならなかった顧客のこれまでの労苦が解消される。本組立スタジオ建家が顧客宅のごく近くに建ってペット撮影ができるようになり、顧客にとって極めて便利なものとなる。
一方、ペット撮影が終われば、組立スタジオ建家Ａは基礎部材１,床部材２,支柱３,天井部材４,引張部材５,屋根部材６,樋部材７,テラス部材８,壁部材９の各構成部材に分解することによって、行きと同様帰りもコンパクト化して車両に搭載,移動できる。
【００３０】
尚、本発明においては前記実施形態に示すものに限られず、目的,用途に応じて本発明の範囲で種々変更できる。基礎部材１,床部材２,支柱３,天井部材４,引張部材５,屋根部材６,樋部材７,テラス部材８,壁部材９等の形状,大きさ,材質等は用途に合わせて適宜選択できる。
【図面の簡単な説明】
【００３１】
【図１】本発明に係るペット用組立スタジオ建家の一形態で、(イ)が基礎部材の正面図、(ロ)が(イ)のＺ矢視図である。
【図２】(イ)が床部材の主部材の斜視図、(ロ）が床面パーツの斜視図である。
【図３】(イ)が各床部材の各パーツを組付けた床の平面図で、(ロ)がI-I線矢視図である。
【図４】図３のジョイントパーツの拡大六面図の一部で、(イ)が図３の平面図に対応する平面図である。
【図５】図３の角部ジョイントの拡大六面図の一部で、(イ)が図３の平面図に対応する平面図である。
【図６】支柱の斜視図である。
【図７】(イ)が床部材と支柱とを組立てた正面図、(ロ)が(イ)の側面図である。
【図８】天井部材の各構成部品が組付けてられてなる天井部材の平面図である。
【図９】天井部材の各パーツの斜視図である。
【図１０】(イ)が基礎部材と床部材と支柱と天井部材と引張部材とを組付けた正面図、(ロ)が(イ)の側面図(ロ)である。
【図１１】天井部材に屋根部材を組付ける様子を示す斜視図である。
【図１２】(イ)が根用主骨材の平面図で、(ロ)が(イ)の正面図である。
【図１３】(イ)が樋部材の正面図で、(ロ)が(イ)のII-II線矢視図である。
【図１４】組立てられたテラス部材周りの説明側面図である。
【図１５】図１４の正面図である。
【図１６】屋根覆いテントが屋根用主骨材に覆着セットされた状態の側面図で、円内は屋根覆いテントに係る切妻部の重ね部分の水平断面図である。
【図１７】屋根覆いテントを屋根用主骨材に覆着する手順を示す説明図である。
【図１８】(イ)が壁部材の水平断面図、(ロ)が(イ)の正面図で、(イ)は(ロ)のIV-IV線矢視図である。
【図１９】(イ)が壁部材の取付け箇所を示す説明斜視図で、(ロ)が(イ)の壁部材とその周りの側面図である。
【図２０】組立てられたスタジオ建家の概略斜視図である。
【図２１】スタジオ撮影用器材の説明斜視図である。
【図２２】図２０のスタジオ建家を床部材等の構成部品に分解したものを、図２１のスタジオ撮影用器材と一緒に車両に搭載した説明図である。
【符号の説明】
【００３２】
２            床部材
３            支柱
４            天井部材
６            屋根部材
９            壁部材
Ａ            スタジオ建家(ペット用組立スタジオ建家)
Ｅ            車両
【図１】
2008125423.tif 000003
【図２】
2008125423.tif 000004
【図３】
2008125423.tif 000005
【図４】
2008125423.tif 000006
【図５】
2008125423.tif 000007
【図６】
2008125423.tif 000008
【図７】
2008125423.tif 000009
【図８】
2008125423.tif 000010
【図９】
2008125423.tif 000011
【図１０】
2008125423.tif 000012
【図１１】
2008125423.tif 000013
【図１２】
2008125423.tif 000014
【図１３】
2008125423.tif 000015
【図１４】
2008125423.tif 000016
【図１５】
2008125423.tif 000017
【図１６】
2008125423.tif 000018
【図１７】
2008125423.tif 000019
【図１８】
2008125423.tif 000020
【図１９】
2008125423.tif 000021
【図２０】
2008125423.tif 000022
【図２１】
2008125423.tif 000023
【図２２】
2008125423.tif 000024